(57)【特許請求の範囲】
【請求項１】
下記(a) 成分及び(b) 成分を含有し、(a) 成分と(b) 成分の重量比が１／３〜３／１であり、(a) 成分と(b) 成分の合計含有量が３〜40重量％である柔軟仕上げ剤組成物。
(a) ：炭素数８〜22の脂肪酸のグリセリンエステル
(b) ：一般式（Ｉ）又は(II)で表されるアミン又はその塩
【化１】
0004024424.tif 000005
（式中、R は炭素数17以上の炭化水素基と炭素数17未満の炭化水素基との重量比が70／30〜40／60である混合炭化水素基を示す。）
【請求項２】
(b) 成分が、一般式（Ｉ）又は(II)で表されるアミンの塩酸塩又は硫酸塩であり、中和度が 0.1〜1.5 である請求項１記載の柔軟仕上げ剤組成物。
【発明の詳細な説明】
【０００１】
【発明の属する技術分野】
本発明は柔軟仕上げ剤組成物に関する。
【０００２】
【従来の技術及び発明が解決しようとする課題】
繊維用柔軟仕上げ剤として、特開平７−268773号公報にグリセリン、ジグリセリン等の脂肪酸エステルとモノ長鎖アルキル型アミンを含有する柔軟仕上げ剤組成物が提案されている。しかし、この組成物を長期保存する場合、特に高温で分離したりすることがあり、家庭用柔軟仕上げ剤としては、満足できるものではない。
【０００３】
本発明の課題は、各種繊維に対して十分な柔軟性を与え、保存安定性が良好であり、且つ生分解性に優れた柔軟仕上げ剤組成物を提供することにある。
【０００４】
【課題を解決するための手段】
本発明は、下記(a) 成分及び(b) 成分を含有し、(a) 成分と(b) 成分の重量比が１／３〜３／１であり、(a) 成分と(b) 成分の合計含有量が３〜40重量％である柔軟仕上げ剤組成物である。
(a) ：炭素数８〜22の脂肪酸のグリセリンエステル
(b) ：一般式（Ｉ）又は(II)で表されるアミン又はその塩
【０００５】
【化２】
0004024424.tif 000002
【０００６】
（式中、R は炭素数17以上の炭化水素基と炭素数17未満の炭化水素基との重量比が70／30〜40／60である混合炭化水素基を示す。）
【０００７】
【発明の実施の形態】
本発明の(a) 成分は、グリセリンと、炭素数８〜22の脂肪酸、その低級アルキルエステル又は油脂との反応により得ることができる。脂肪酸としてカプリル酸、カプリン酸、ラウリン酸、ミリスチン酸、パルミチン酸、ステアリン酸、オレイン酸、ヤシ脂肪酸、パーム脂肪酸、牛脂脂肪酸、硬化牛脂脂肪酸、ナタネ脂肪酸及びこれらの混合物が挙げられ、脂肪酸の低級アルキルエステルとして上記脂肪酸のメチルエステルが挙げられ、油脂としてヤシ油、パーム油、パーム核油、牛脂、豚脂、ナタネ油及びこれらの水素添加油等が挙げられる。
【０００８】
グリセリンのエステル化度は、グリセリン１モルに対して脂肪酸が 1.0モル〜2.5 モル縮合した範囲、即ち 1.0〜2.5 の範囲が良好な柔軟性能を示し、 1.0〜1.9 がより好ましく、1.25〜1.8 が特に好ましい。
【０００９】
本発明の(b) 成分のうち、一般式（Ｉ）で表されるアミドアミンは、N,N −ジメチルアミノプロピルアミンと、炭素数８〜22の脂肪酸、その低級アルキルエステル又は油脂との反応により得ることができる。また、一般式(II)で表されるエステルアミンは、N,N −ジメチルアミノエタノールと、炭素数８〜22の脂肪酸、その低級アルキルエステル又は油脂との反応により得ることができる。
【００１０】
このアミン製造に使用する脂肪酸は、ヤシ油、パーム油、牛脂、ナタネ油、魚油等の天然油脂由来のものが好ましいが、化学的に合成した脂肪酸でも良い。これらの脂肪酸の炭化水素基の鎖長は、分留等の蒸留操作あるいは複数の脂肪酸の混合等により、炭素数17以上の炭化水素基と炭素数17未満の炭化水素基との重量比（以下、炭化水素基比率と言う）が70／30〜40／60、好ましくは70／30〜50／50となるように調製される。この炭化水素基比率を70／30以下にすることにより組成物の保存安定性が良好となり、また40／60以上で十分な柔軟性能を示す。
【００１１】
本発明の(b) 成分は、上記一般式（Ｉ）又は(II)で表されるアミンの一部又は全部を酸で中和して用いるのが好ましい。酸として、塩酸、硫酸、リン酸等の鉱酸、及び酢酸、グリコール酸、クエン酸、乳酸等の有機酸から選ばれる１種以上が用いられ、特に塩酸、硫酸が好ましい。中和は、柔軟性能及び(a) 成分の安定性の観点から、アミンに対し 0.1〜1.5 当量の酸を用いる（以下中和度0.1〜1.5と表記する）のが好ましく、中和度 0.9〜1.5 が更に好ましい。
【００１２】
本発明の柔軟仕上げ剤組成物中の(a) 成分と(b) 成分の重量比は１／３〜３／１、好ましくは３／７〜７／３、更に好ましくは４／６〜６／４であり、この範囲内で良好な柔軟性が得られる。また、(a) 成分と(b) 成分の合計含有量は３〜40重量％、好ましくは３〜30重量％であり、この範囲内で良好な柔軟性が得られる。
【００１３】
本発明の柔軟仕上げ剤組成物は、例えば(a) 成分及び(b) 成分の溶融物又は濃厚液を攪拌しながら中和剤（酸）を含む水溶液中に添加することにより得ることができる。また、中和物を予め製造する方法或いは中和剤を後添加する方法等によっても得ることができる。
【００１４】
本発明の柔軟仕上げ剤組成物は、更にジメチルポリシロキサン、部分的にアミノ基又はポリオキシアルキレン基で変性されたジメチルポリシロキサン等のシリコーン化合物、特に好ましくは部分的にポリオキシアルキレン基で変性されたジメチルポリシロキサンを配合することにより吸水性を損なうことなく、柔軟処理された衣料の肌触りを改善することができる。これらのシリコーン化合物は、(a) 成分と(b)成分の合計重量に対し、0.3〜５重量％配合されるのが好ましい。
【００１５】
本発明の柔軟仕上げ剤組成物は、長期保存に対して安定性は高いが、更に過酷な保存条件下での安定化のためにエタノール、エチレングリコール、プロピレングリコール、グリセリン等の溶剤、脂肪族アルコールのエチレンオキシド付加物等の非イオン界面活性剤、又は尿素等を配合することができる。また、柔軟基剤として既知のエステル、カチオン化合物、長鎖脂肪酸等を併用しても良い。また、製品の外観のために顔料又は染料を、仕上がりの白さのために蛍光増白剤を、そして使用時及び仕上がり後の趣向をよくするために香料を配合することもできる。
【００１６】
【発明の効果】
本発明の柔軟仕上げ剤組成物は、各種繊維に対して十分な柔軟性を与え、保存安定性が良好であり、且つ生分解性に優れている。
【００１７】
【実施例】
実施例１〜11及び比較例１〜６
下記に示す(a) 成分及び表１に示すアミンを表２に示す配合割合で用いて柔軟仕上げ剤組成物を調製した。これらの柔軟仕上げ剤組成物について下記方法で柔軟性及び保存安定性を評価した。結果を表２に示す。
【００１８】
(a) 成分
a-1 ：硬化牛脂脂肪酸グリセリンエステル（エステル化度1.35）
a-2 ：硬化牛脂脂肪酸グリセリンエステル（エステル化度1.6 ）
【００１９】
【表１】
0004024424.tif 000003
【００２０】
＜柔軟性の評価＞
(1) 処理方法
市販の木綿タオル２kgを 3.5°ＤＨ硬水にて市販洗剤アタック（花王株式会社製、登録商標）にて５回繰り返し洗濯（30Ｌ洗濯機）し、タオルについていた繊維処理剤を除去した後、柔軟仕上げ剤組成物を10mL投入し、25℃、１分間攪拌下で処理した。
【００２１】
(2) 評価方法
上記方法で処理した布を室内で風乾後、25℃、65％ＲＨの恒温恒湿室にて24時間放置した。これらの布について柔軟性の評価を行った。
柔軟性の評価は、ジ硬化牛脂アルキルジメチルアンモニウムクロライド15重量％からなる柔軟仕上げ剤10mLで処理した布を対照にして一対比較を行い、下記の基準で評価した。
【００２２】
２：対照より柔らかい
１：対照よりやや柔らかい
０：対照と同じ
−１：対照の方がやや柔らかい
−２：対照の方が柔らかい
＜保存安定性の評価＞
柔軟仕上げ剤組成物を密閉し、10℃にて20日間保存し、密閉状態での外観を観察した。
【００２３】
【表２】
0004024424.tif 000004
【００２４】
注）
*1：中和度（アミンに対する酸の当量）